(57)【要約】【課題】作業環境の改善に役立てることができるロードコーン及びロードコーンを用いた噴霧システムを提供する。【解決手段】中空錐状のコーン本体部２と、コーン本体部２に配設され、供給された水を周囲に噴霧するミスト発生器３と、を備え、ロードコーン１の周囲に水を噴霧することができ、噴霧したミストの気化熱により周囲の温度を下げることができるとともに、ミストにより空気中の埃や粉塵が捕捉されて滴下することにより、空気中から埃や粉塵を除去することができる。【選択図】図１
2018009392.tif 000002
【特許請求の範囲】
【請求項１】
中空錐状のコーン本体部と、
前記コーン本体部に配設され、供給された水を周囲に噴霧するミスト発生器と、を備えることを特徴とするロードコーン。
【請求項２】
前記コーン本体部には、前記ミスト発生器に給水する給水管が挿通される開口部が形成されていることを特徴とする請求項１に記載のロードコーン。
【請求項３】
前記給水管は、前記コーン本体部の内部に配設されるとともに、弾性変形可能に形成されたホースを備えることを特徴とする請求項２に記載のロードコーン。
【請求項４】
前記開口部は、前記コーン本体部の頂部に形成され、
前記給水管は、前記開口部から上方に向けて突出する支持筒を備え、
この支持筒の上端部に、前記ミスト発生器が配設されていることを特徴とする請求項２又は３に記載のロードコーン。
【請求項５】
請求項１から４のいずれか１項に記載のロードコーンと、前記ミスト発生器に水を供給する水源と、を備えることを特徴とするロードコーンを用いた噴霧システム。
【発明の詳細な説明】
【技術分野】
【０００１】
本発明は、ロードコーン及びロードコーンを用いた噴霧システムに関する。
【背景技術】
【０００２】
従来、例えば下記特許文献１に示されるように、工事現場等に載置されて用いられ、作業領域と非作業領域とを区分け等する保安器具として、中空錐状のロードコーンが知られている。
【先行技術文献】
【特許文献】
【０００３】
【特許文献１】特開２０１４−１０５５６１号公報
【発明の概要】
【発明が解決しようとする課題】
【０００４】
しかしながら前記従来のロードコーンでは、例えば高温環境あるいは埃や粉塵の多い環境において、作業環境の改善に役立てることについての要望があった。
【０００５】
本発明は前述した事情に鑑みてなされたものであって、作業環境の改善に役立てることができるロードコーン及びロードコーンを用いた噴霧システムを提供することを目的とする。
【課題を解決するための手段】
【０００６】
前記課題を解決するために、本発明に係るロードコーンは、中空錐状のコーン本体部と、前記コーン本体部の外面に配設され、供給された水を周囲に噴霧するミスト発生器と、を備えることを特徴とする。
【０００７】
また、本発明に係るロードコーンを用いた噴霧システムは、前記ロードコーンと、前記ミスト発生器に水を供給する水源と、を備えることを特徴とする。
【０００８】
これらの発明によれば、ロードコーンが載置された状態で、コーン本体部に配設されたミスト発生器に水を供給すると、ロードコーンの周囲に水を噴霧することができるので、噴霧したミストの気化熱により周囲の温度を下げることができるとともに、ミストにより空気中の埃や粉塵が捕捉されて滴下等することにより、空気中から埃や粉塵を除去することができる。これらにより、作業環境の改善に役立てることができる。
また、ミスト発生器がロードコーンに配設されているため、ロードコーンを設置又は撤去するのと同時に、ミスト発生器も設置又は撤去することができ、設置又は撤去する際の作業の手間や設置スペースを省くことができる。
【０００９】
ここで、前記コーン本体部には、前記ミスト発生器に給水する給水管が挿通される開口部が形成されていてもよい。
この場合には、給水管をコーン本体部の内部に配置することが可能になり、ロードコーンの見映えを向上することができる。
【００１０】
また、前記給水管は、前記コーン本体部の内部に配設されるとともに、弾性変形可能に形成されたホースを備えていてもよい。
この場合には、コーン本体部の内部に弾性変形可能に形成されたホースが配設されているので、一方のロードコーンの内側に他方のロードコーンを差し込んで積み重ねた際に、ホースがコーン本体部同士の間に挟まれることで緩衝材として作用する。このため、例えば他方のロードコーンのミスト発生器に、一方のロードコーンのコーン本体部の内面から及ぼされる外力を抑えること等ができ、ミスト発生器の損傷を防止することができる。
【００１１】
また、前記開口部は、前記コーン本体部の頂部に形成され、前記給水管は、前記開口部から上方に向けて突出する支持筒を備え、この支持筒の上端部に、前記ミスト発生器が配設されていてもよい。
この場合には、開口部から上方に向けて突出する支持筒の上端部にミスト発生器が配設されているので、供給された水を広範囲にわたって噴霧することができる。
【発明の効果】
【００１２】
本願の請求項１、５に係る発明によれば、作業環境の改善に役立てることができる。
【００１３】
本願の請求項２に係る発明によれば、ロードコーンの見映えを向上することができる。
【００１４】
本願の請求項３に係る発明によれば、ミスト発生器の損傷を防止することができる。
【００１５】
本願の請求項４に係る発明によれば、供給された水を広範囲にわたって噴霧することができる。
【図面の簡単な説明】
【００１６】
【図１】本発明の第１実施形態に係るロードコーン及びロードコーンを用いた噴霧システムの外観図である。
【図２】本発明の第２実施形態に係るロードコーン及びロードコーンを用いた噴霧システムの外観図である。
【図３】図２に示すロードコーンの縦断面図である。
【図４】図２に示すロードコーンの保持具の正面図である。
【図５】図１に示すロードコーンの変形例を示す斜視図である。
【図６】図１に示すロードコーンの他の変形例を示す斜視図である。
【図７】図２に示すロードコーンの変形例を示す斜視図である。
【発明を実施するための形態】
【００１７】
以下、図１を参照し、本発明の第１実施形態に係るロードコーン１について説明する。
図１に示すように、ロードコーン１は、中空錐状のコーン本体部２と、コーン本体部２に配設され、供給された水を周囲に噴霧するミスト発生器３と、を備えた噴霧器である。ここで、コーン本体部２の中心軸線を中心軸線Ｏという。また、中心軸線Ｏに沿う方向を上下方向といい、上下方向から見た平面視において、中心軸線Ｏに直交する方向を径方向という。
【００１８】
コーン本体部２は、上方に向かう従い漸次、縮径する中空の円錐形状に形成されている。コーン本体部２の内部は、コーン本体部２の下端開口を通して外部へと連通している。コーン本体部２の下端部には、径方向の外側に向けて突出し、全周にわたって延びる載置部１０が形成されている。載置部１０は、上下方向から見た平面視で矩形状を呈する。載置部１０は中心軸線Ｏと同軸に配設されている。なお、コーン本体部２は、角錐形状に形成されていてもよい。
コーン本体部２及び載置部１０は一体に形成され、これらの色は例えば赤色等の視認性の良い色となっている。なお、コーン本体部２及び載置部１０は、別体に形成されていてもよいし、載置部１０が形成されていなくてもよい。図示の例では、作業環境内に複数のロードコーン１が配置されている。
【００１９】
ミスト発生器３は、コーン本体部２の外側に配設され、コーン本体部２の内側を通して供給された水を周囲に噴霧する。ミスト発生器３は、供給された水を内部の微細なフィルターを通して外部に放出することで、微細なミスト状にして噴霧することができるノズルである。ミスト発生器３はコーン本体部２の外周面２ａに配設されている。ミスト発生器３による噴霧方向は、例えばコーン本体部２の外周面２ａの傾斜角度を利用して決めることができる。複数のロードコーン１に配設された各ミスト発生器３は、互いに異なる方向を向いてもよい。また、各ミスト発生器３は、互いに異なる高さに配設されてもよい。
【００２０】
このように、ミスト発生器３が複数のロードコーン１に、それぞれ異なる方向を向いて、異なる高さに配設されていることで、供給された水を広範囲にわたって噴霧することが可能となっている。また、ロードコーン１の数量を調整することで、周囲に噴霧する水の量を調整することができる。また、複数のロードコーン１それぞれにおけるミスト発生器３の向きを調整することで、供給された水を噴霧する領域を調整することができる。
【００２１】
図示の例では、ミスト発生器３はコーン本体部２の上下方向の中央部よりも上方に、１つのロードコーン１に対して１つ配設されている。なお、ミスト発生器３はコーン本体部２の上下方向の中央部よりも下方に配設してもよいし、１つのロードコーン１に対して複数配設してもよい。ミスト発生器３が配設されていないロードコーンと、ロードコーン１とを交互に並べて配置してもよい。
【００２２】
また、コーン本体部２には、ミスト発生器３に給水する給水管４が挿通される開口部２ｂが形成されている。給水管４は、ロードコーン１の一部を構成する。本実施形態では、給水管４は、コーン本体部２の内部に配設されるとともに、弾性変形可能に形成されたホース４ａを備えている。
ホース４ａは、一端部４ｂｓが水源である蛇口９に水道栓接続キャップ５を介して接続され、かつ他端部４ｂｔが複数のロードコーン１のうちの１つのコーン本体部２内に配設された主管４ｂと、主管４ｂに接続されるとともに、各別に複数のロードコーン１のコーン本体部２内に配設された複数の分岐管４ｃと、を備えている。ホース４ａは、例えばゴム材や合成樹脂材等により形成されている。なお主管４ｂの一端部４ｂｓは、蛇口９に限られず、ポンプを介して貯水タンク（水源）に接続されてもよい。
【００２３】
複数の分岐管４ｃは、主管４ｂから複数のロードコーン１の各ミスト発生器３に向かって延びている。分岐管４ｃは、コネクタ６を介して主管４ｂに接続されている。主管４ｂの他端部４ｂｔ及び複数の分岐管４ｃは、コーン本体部２の下端開口を通してロードコーン１の内部に配設されている。コーン本体部２内に配設された主管４ｂの他端部４ｂｔ及び複数の分岐管４ｃは、開口部２ｂを通して、外周面２ａに配設されたミスト発生器３と接続されている。
【００２４】
なお、コネクタ６には、主管４ｂ内と分岐管４ｃ内との連通、及びその遮断を切り替える中間コックを設けてもよい。このように中間コックを設けることにより、作業環境における気温の高さ、あるいは埃や粉塵の量により、複数のロードコーン１のうち、ミスト発生器３から噴霧を行うロードコーン１と、噴霧を行わないロードコーン１と、の切り替え等を行うことができる。
そして、ロードコーン１と蛇口９とは、噴霧システム１００を構成している。なお、噴霧システム１００において配置されるロードコーン１の数量は任意に変更可能である。
【００２５】
以上説明したように、本実施形態におけるロードコーン１によれば、ロードコーン１が載置された状態で、コーン本体部２に配設されたミスト発生器３に水を供給すると、ロードコーン１の周囲に水を噴霧することができるので、噴霧したミストの気化熱により周囲の温度を下げることができる。また、ミストにより空気中の埃や粉塵が捕捉されて滴下等することにより、空気中から埃や粉塵を除去することができる。これらにより、作業環境の改善に役立てることができる。
【００２６】
また、ミスト発生器３がロードコーン１に配設されているため、ロードコーン１を設置又は撤去するのと同時に、ミスト発生器３も設置又は撤去することができ、設置又は撤去する際の作業の手間や設置スペースを省くことができる。
また、コーン本体部２には、ミスト発生器３に給水するホース４ａが挿通される開口部２ｂが形成されているため、ホース４ａをコーン本体部２の内部に配置することが可能になり、ロードコーン１の見映えを向上することができる。
【００２７】
また、給水管４は、コーン本体部２の内部に配設されるとともに、弾性変形可能に形成されたホース４ａを備えているため、一方のロードコーン１の内側に他方のロードコーン１を差し込んで積み重ねた際に、ホース４ａがコーン本体部２同士の間に挟まれることで緩衝材として作用する。このため、他方のロードコーン１のミスト発生器３に、一方のロードコーン１のコーン本体部２の内面から及ぼされる外力を抑えることができ、ミスト発生器３の損傷を防止することができる。
【００２８】
次に、本発明の第２実施形態について説明する。
なお、本実施形態においては、第１実施形態における構成要素と同一の部分については同一の符号を付し、その説明を省略し、異なる点についてのみ説明する。
【００２９】
図２及び図３に示すように、本実施形態におけるロードコーン１１では、コーン本体部１２の開口部１２ｂが、コーン本体部１２の頂部１２ａに形成され、給水管４は、開口部１２ｂから上方に向けて突出する支持筒４ｄを備え、この支持筒４ｄの上端部に、ミスト発生器３が配設されている。ミスト発生器３はコーン本体部１２に着脱自在となっており、図示の例ではミスト発生器３が、支持筒４ｄを介してコーン本体部１２に着脱自在となっている。
【００３０】
図３に示すように、開口部１２ｂは、コーン本体部１２の頂部１２ａを上下方向に貫くように、中心軸線Ｏと同軸に形成されている。支持筒４ｄは、全長にわたって同径に形成された筒状体であり、コーン本体部１２の開口部１２ｂ内に挿入されている。図３及び図４に示すように、支持筒４ｄは、コーン本体部１２の頂部１２ａに装着された保持具７に保持されることで固定されている。支持筒４ｄの下端部は、コーン本体部１２の内部において、ホース４ａと接続されている。ホース４ａはコーン本体部１２の下端部に形成された接続孔１２ｃを通して、コーン本体部１２の外部に突出している。
【００３１】
保持具７は、弾性を備えた筒状体であり、例えばゴム材や合成樹脂材等により形成されている。保持具７の内側は、支持筒４ｄの外径よりも僅かに小径をなしている。また、保持具７の下端開口縁には、上方に向かうに従い漸次、径方向の内側に向けて延びる環状溝７ａが形成されている。環状溝７ａは保持具７の下端開口縁の全周にわたって形成されている。環状溝７ａを画成する内面のうち、径方向の外側に位置し、径方向の内側を向く内面は、コーン本体部１２の頂部１２ａの外周面よりも僅かに小径となっている。
【００３２】
支持筒４ｄをコーン本体部１２に固定する際には、まず、保持具７の内径を拡大させながら、保持具７内に支持筒４ｄを圧入し、支持筒４ｄを保持具７に固定する。次に、保持具７の環状溝７ａ内に、コーン本体部１２の頂部１２ａが挿入されるように、コーン本体部１２の開口部１２ｂ内に保持具７を圧入し、保持具７を固定する。これにより、支持筒４ｄがコーン本体部１２の開口部１２ｂ内に差し込まれる。
【００３３】
これらの作業により、保持具７を介して、コーン本体部１２の開口部１２ｂに、支持筒４ｄが固定される。なお、先にコーン本体部１２の開口部１２ｂ内に保持具７を圧入し、保持具７を固定した後に、保持具７の挿入孔６ａ内に支持筒４ｄを圧入し、支持筒４ｄを固定してもよい。
そして、ロードコーン１１と蛇口９とは、噴霧システム２００を構成している。
【００３４】
以上説明したように、本実施形態におけるロードコーン１１によれば、開口部１２ｂから上方に向けて突出する支持筒４ｄの上端部にミスト発生器３が配設されているので、供給された水を広範囲にわたって噴霧することができる。
また、支持筒４ｄを着脱自在な構成とすることにより、ロードコーン１の収納時において、支持筒４ｄを取り外すことでコーン本体部１２が中空状となり、複数のロードコーン１を互いに積み重ねることで、コンパクトに収納することができる。
【００３５】
なお、本発明の技術的範囲は前記実施形態に限定されるものではなく、本発明の趣旨を逸脱しない範囲において種々の変更を加えることができる。
【００３６】
例えば、上記第１実施形態においては、ミスト発生器３がコーン本体部２の外周面２ａに配設された構成について示したが、このような態様に限られない。ミスト発生器３は、コーン本体部２の外側のうち、載置部１０に配設されていてもよい。また、図５に示すロードコーン２１のように、ミスト発生器３を、コーン本体部２の頂部に配設してもよい。このような構成とすることで、供給された水をミスト発生器３から広範囲にわたって噴霧することができる。
【００３７】
また、図６に示すロードコーン３１のように、ミスト発生器３が取付けキャップ３３を介してコーン本体部２に配設されてもよい。ロードコーン３１では、取付けキャップ３３がコーン本体部２の外側に装着されている。取付けキャップ３３の頂部には、ミスト発生器３が固定されている。ミスト発生器３には、分岐管４ｃが取付けキャップ３３とコーン本体部２との間に挿入された状態で、接続されている。
このような構成とすることで、ミスト発生器３をコーン本体部２に対して着脱自在とすることができる。
【００３８】
また、上記第１実施形態及び第２実施形態においては、コーン本体部２、１２には、ミスト発生器３に給水する給水管４が挿通される開口部２ｂ、１２ｂが形成されている構成を示したが、このような態様に限られない。コーン本体部に開口部が形成されておらず、給水管がコーン本体部の外部からミスト発生器に接続されていてもよい。また、ミスト発生器の一部が、給水管と接続された状態で、開口部に挿通されていてもよい。
【００３９】
また、上記第１実施形態及び第２実施形態においては、給水管４が、コーン本体部２、１２の内部に配設されるとともに、弾性変形可能に形成されたホース４ａを備えている構成を示したが、この様な態様に限られない。給水管がホースを備えておらず、弾性変形できない硬質な配管のみにより構成されていてもよい。
【００４０】
また、上記第２実施形態においては、給水管４が、開口部１２ｂから上方に向けて突出する支持筒４ｄを備えている構成を示したが、このような態様に限られない。給水管は開口部から上方に向けて突出する支持筒を備えていなくてもよい。
【００４１】
また、上記第２実施形態においては、支持筒４ｄが保持具７を介して開口部１２ｂ内に固定されている構成を示したが、このような態様に限られない。図７に示すロードコーン４１のように、保持具を用いることなく、支持筒４ｄが開口部１２ｂ内に挿入されていてもよい。
【００４２】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４３】
１、１１、２１、３１、４１  ロードコーン
２、１２  コーン本体部
２ａ  外周面
２ｂ、１２ｂ  開口部
３  ミスト発生器
４  給水管
４ａ  ホース
４ｄ  支持筒
【図１】
2018009392.tif 000003
【図２】
2018009392.tif 000004
【図３】
2018009392.tif 000005
【図４】
2018009392.tif 000006
【図５】
2018009392.tif 000007
【図６】
2018009392.tif 000008
【図７】
2018009392.tif 000009